【事件の表示】
　平成　９年特許願第２１１３０６号「駐輪用ロック装置」拒絶査定に対する審判事件［平成１１年　２月　９日出願公開、特開平１１−　３６６８２］について、次のとおり審決する。
【結　論】
　本件審判の請求は、成り立たない。
【理　由】
【１】手続の経緯・本願発明
　本願は平成９年７月２２日の出願であって、その請求項１に係る発明（以下、「本願発明」という。）は、平成１１年１２月１５日付けの手続補正書により補正された明細書及び図面の記載からみて、その特許請求の範囲の請求項１に記載された以下のとおりのものである。
　（尚、本願についての平成１２年８月１８日付け手続補正は、本審決と同時になされた補正の却下の決定により却下された。）
　「【請求項１】駐輪場の固定物１に固着されるケース２の正面壁部３の中央部に自転車の車輪４が挿入される受溝５を設け、錠止アーム６と受動アーム７よりなる第１ロックレバー９を受溝５の左側において垂直枢軸１０によりケース２に枢着し、錠止アーム６が正面壁部３に向かって倒れる方向にバネ１１によって第１ロックレバー９を回転付勢し、錠止アーム１２と受動アーム１３よりなる第２ロックレバー１５を受溝５の右側において垂直枢軸１６によってケース２に枢着し、錠止アーム１２が正面壁部３に向かって倒れる方向に第２ロックレバー１５をバネ１７によって回転付勢し、第１ロックレバー９の基端部の制止受部１８に係脱する制止アーム部１９と解除アーム部２０よりなる第１操作レバー２１を水平枢軸２２によってケース２に枢着し、制止アーム部１９が制止受部１８に係合する方向に第１操作レバー２１をバネ２３によって回転付勢し、第２ロックレバー１５の基端部の制止受部２４に係脱する制止アーム部２５と解除アーム部２６とよりなる第２操作レバー２７を水平枢軸２８によってケース２に枢着し、制止アーム部２５が制止受部２４に係合する方向に第２操作レバー２７をバネ２９によって回転付勢し、ケース２の中央部に上下にスライドするスライダー３０を設け、スライダー３０の左側面に第１操作レバー２１の解除アーム部２０の先端部が係合する駆動部８を設け、スライダー３０の右側面に第２操作レバー２７の解除アーム部２６の先端部が係合する駆動部１４を設け、ケース２に設けた錠前ユニット３２のロータ３３に操作板３４を固着し、操作板３４の先端部のカムスロット３１を通る軸ピン３５によって駆動レバー３６を連結し、横方向にスライド可能及び上下方向に回転可能に案内した駆動レバー３６の側面をケース２側に設けたガイド壁部５５に当接させ、錠前ユニット３２の反対側においてケース２の正面壁部３に開口部４２を設け、開口部４２に嵌め込んだ押しボタン３７を水平枢軸３８によってケース２に枢着し、押しボタン３７をバネ３９によって正面方向に回転付勢し、押しボタン３７の側壁部４０に錠前ユニット３２の解錠時に駆動レバー３６の先端部が係合する押動部４１を設けた駐輪用ロック装置。」
　　　　　
　　　　　
【２】引用刊行物
　これに対して、原審の平成１２年４月４日付けの拒絶理由で引用文献１，２としてそれぞれ引用され、本願出願前に日本国内において頒布された刊行物である実願平５−５７４９８号（実開平７−２６５５６号）のＣＤ−ＲＯＭ（以下「引用刊行物２」という）、及び、特開平９−３２３８５号公報（以下「引用刊行物１」という）には、それぞれ以下の技術的事項が記載されている。
〔１〕引用刊行物１（特開平９−３２３８５号公報）
１．「【請求項１】扉１に固着されるケース２の正面板３の中央部に扉用ロックハンドル４が正面側から挿入される受溝５を横断方向に設け、錠止突子６と受動突子７とから成り扉用ロックハンドル４を収容する錠止溝８を下端部に設けた第１掛金レバー９を受溝５の上方において水平枢軸１０によってケース２に枢着してバネ１１によって正面方向に回転付勢し、錠止突子１２と受動突子１３より成り扉用ロックハンドル４を収容する錠止溝１４を上端部に設けた第２掛金レバー１５を受溝５の下方において水平枢軸１６によってケース２に枢着してバネ１７によって正面方向に回転付勢し、第１掛金レバー９の基端部のロック溝１８に係脱するロックア−ム部１９とこれに垂直な解除アーム部２０とから成る第１ロック板２１を第１掛金レバー９の右上方において枢軸２２によってケース２に枢着してバネ２３によって反時計回り方向に回転付勢し、第２掛金レバー１５の基端部のロック溝２４に係脱するロックアーム部２５とこれに垂直な解除アーム部２６とから成る第２ロック板２７を第２掛金レバー１５の右下方において枢軸２８によってケース２に枢着してバネ２９によって時計回り方向に回転付勢し、ケース２の中央部に左右にスライドするプッシュガイド３０を設け、プッシュガイド３０の右端部に第１ロック板２１の解除アーム部２０の先端部と第２ロック板２７の解除アーム部２６の先端部とが係合する突起３１を設け、第１ロック板２１の右方においてケース２に錠前ユニット３２を固着し、錠前ユニット３２のロータ３３に固着した操作板３４の先端部に枢軸３５によって誘導レバー３６を枢着し、誘導レバー３６の左側面をプッシュガイド３０の右側面に当接させ、誘導レバー３６の下方において押しボタン３７を垂直枢軸３８によってケース２に枢着してバネ３９によって正面方向に回転付勢し、押しボタン３７の水平板部４０に錠前ユニット３２の解錠時に誘導レバー３６の先端部が入り込む溝４１を設け、ケース２の正面板３の右下方に押しボタン３７が嵌合する開□４２を設け、プッシュガイド３０の背面側に開放レバー４３を突設し、開放レバー４３をケース２の背面板４４に設けたレバー孔４５から突出させた扉用ロックハンドルの掛金装置。」（２頁１欄２〜３９行、【特許請求の範囲】）
２．「【発明が解決しようとする課題】従って本発明の目的は、ロックハンドルの閉鎖錠止と解錠開放がいずれも簡単な片手操作によって迅速に行なえる、扉用ロックハンドルの掛金装置を提供することである。」（２頁２欄２８〜３１行、段落【０００６】）
３．「扉１を解錠開放するには、鍵５３によって錠前ユニット３２のロータ３３を所定方向に回してロータ３３に固着された操作板３４を下方に回動し、操作板３４に枢軸３５によって枢着された誘導レバー３６をケース２に固着されたガイド板５４に沿って下方にスライドし誘導レバー３６の先端部を押しボタン３７の水平板部４０の溝４１に挿入して誘導レバー３６と押しボタン３７を連結する。押しボタン３７を垂直枢軸３８を中心に押し込むと、これに連動して誘導レバー３６が左方向に回動し、誘導レバー３６の左側面に当節するプッシュガイド３０が左方向にスライドし、プッシュガイド３０の突起３１に係合する第１ロック板２１の解除アーム部２０と第２ロック板２７の解除アーム部２６とが左方向に押される。これによって第１ロック板２１が時計回り方向に、第２ロック板２７が反時計回り方向に回動して、第１ロック板２１のロックアーム部１９が第１掛金レバーの溝１８から外れ、第２ロック板２７のロックア−ム部２５が第２掛金レバーの溝２４から外れ、バネ１１によって第１掛金レバー９が、バネ１７によって第２掛金レバー１５が夫々正面側に回転付勢されて、扉用ロックハンドル４が正面側に突出する。」（３頁４欄１２〜３２行、段落【００１５】）
４．「扉１を本格施錠するには、錠前ユニット３２のロー夕３３に鍵５３を挿入してロータ３３を所定方向に回して、ロータ３３に固着された操作板３４を上方に回動し、これに連動して操作板３４に枢着された誘導レバー３６を上方にスライドし、誘導レバー３６の先端部を押しボタン３７の水平板部４０の溝４１から離脱させて誘導レバー３６と押しボタン３７とを分離する。この時、押しボタン３７を押し込んでも誘導レバー３６が連動しないので、前記解錠開放機構が働かず、扉用ロックハンドル４が錠止状態で固定され、扉１は本格施錠される。」（３頁４欄３３〜４３行、段落【００１６】）
５．「【発明の効果】以上のように本発明の扉用ロックハンドルの掛金装置では、ケース２の正面板３の受溝５に扉用ロックハンドル４を押し込むと、第１掛金レバー９と第２掛金レバー１５が錠止方向に追随回転して、・・・第１掛金レバー９の錠止突子６と第２掛金レバー１５の錠止突子１２が扉用ロックハンドル４の前面部に自動的に係合する一方、押しボタン３７を押すと・・・第１掛金レバー９と第２掛金レバー１５から扉用ロックハンドル４が自動的に離脱するため、扉１の閉鎖錠止と解錠開放がいずれも簡単な片手操作によって迅速に行なうことができる。」（４頁５欄１４〜２７行、段落【００２０】）
　これらの明細書の記載と図面の記載及び当業者の技術常識とからみて、引用刊行物１には、
　「扉１に固着されるケース２の正面板３の中央部に扉用ロックハンドル４が挿入される受溝５を設け、錠止突子１２と受動突子１３よりなる第２掛金レバー１５を受溝５の下側において水平枢軸１６によりケース２に枢着し、錠止突子１２が正面板３の正面方向にバネ１７によって第２掛金レバー１５を回転付勢し、錠止突子６と受動突子７よりなる第１掛金レバー９を受溝５の上側において水平枢軸１０によってケース２に枢着し、錠止突子６が正面板３の正面方向に第１掛金レバー９をバネ１１によって回転付勢し、第２掛金レバー１５の基端部のロック溝２４に係脱するロックアーム部２５と解除アーム部２６よりなる第２ロック板２７を水平枢軸２８によってケース２に枢着し、ロックアーム部２５がロック溝２４に係合する方向に第２ロック板２７をバネ２９によって回転付勢し、第１掛金レバー９の基端部のロック溝１８に係脱するロックア−ム部１９と解除アーム部２０とよりなる第１ロック板２１を水平枢軸２２によってケース２に枢着し、ロックアーム部１９がロック溝１８に係合する方向に第１ロック板２１をバネ２３によって回転付勢し、ケース２の中央部に左右にスライドするプッシュガイド３０を設け、プッシュガイド３０の下側面に第２ロック板２７の解除アーム部２６の先端部が係合する突起３１の一方側部を設け、プッシュガイド３０の上側面に第１ロック板２１の解除アーム部２０の先端部が係合する突起３１の他方側部を設け、ケース２に設けた錠前ユニット３２のロータ３３に操作板３４を固着し、操作板３４の先端部のカムスロットを通る枢軸３５によって誘導レバー３６を連結し、上下方向にスライド可能及び左右方向に回転可能に案内した誘導レバー３６の側面をケース２に固着されたガイド板５４に当接させ、錠前ユニット３２の反対側においてケース２の正面板３に開□４２を設け、開□４２に嵌め込んだ押しボタン３７を垂直枢軸３８によってケース２に枢着し、押しボタン３７をバネ３９によって正面方向に回転付勢し、押しボタン３７の水平板部４０に錠前ユニット３２の解錠時に誘導レバー３６の先端部が係合する溝４１を設けた扉用ロックハンドルの掛金装置。」の発明が記載されているものと認められる。
　（尚、「カムスロット」は引用刊行物１に明記されていないが、引用刊行物１の図６，７において、操作板３４に長円形状の孔が図示されており、しかも、回転運動する操作板３４とガイド板５４によりガイドされて直線運動する誘導レバー３６とを枢軸３５により枢着する際、枢軸３５を操作板３４と誘導レバー３６との少なくとも一方に遊びを持って係合することが必然であり、且つ、このような事項は技術常識であるから、上記長円形状の孔が「カムスロット」に相当することは当業者に自明である。）
　　　　　　
〔２〕引用刊行物２（実願平５−５７４９８号（実開平７−２６５５６号）のＣＤ−ＲＯＭ）
１．「【産業上の利用分野】本考案は、駐輪場内に持ち込まれた自転車を一時保管する駐輪機に取り付けられる錠装置に関する。」（５頁３〜５行、段落【０００１】）
２．「この駐輪機用錠装置Ａが取り付けられる駐輪機Ｂは、図７，図８に示すように、駐輪場の床面に設置され中央に前輪挿入路１が形成される前輪保持部２と、前輪保持部２の左端部より斜めに起立する柱３とを有し、前輪保持部２は、自転車が倒れないように、前輪を左右から抱持するもので、自転車のスタンドを立てる手間を省略することができる。駐輪機用錠装置Ａは、図９に示すように、箱形状のケース４の前面に、自転車の前輪の先端部が挿入可能な切欠部５が形成され、・・・スライダ７は切欠部５に向かって進退可能であり、スライダ７の両側面に突起部９が形成され、両突起部９には支軸１０が立設され、・・・両支軸１０には、一対のアーム１２の一端に設けられた孔１３が挿通され、・・・アーム１２に設けられたばね支持軸１６と、ケースの内底壁面に立設されたばね支持軸１７にばね１８が張架される。従って、アーム１２は、スライダ７が切欠部５に向けて前進したときには、図１に示す全開状態に付勢され、スライダ７が後退したときには図３に示す全閉状態に保持される。」（６頁３〜２４行、段落【０００５】〜【０００７】）
３．「駐輪機Ｂに自転車が駐車していないときには、錠装置部１９のシリンダ錠２０は解錠され、・・・ばね１８の付勢力により、ピン１５がガイド孔１４端部に当たる位置まで一対のアーム１２が開き、スライダ７が前進している（図１参照）。駐輪機Ｂに自転車が挿入されると、自転車の前輪の先端が切欠部５に挿入され、前輪に押されたスライダ７が後退し、一対のアーム１４はガイド孔１４により閉じて前輪を抱持する（図２参照）。更に、スライダ７は、ばね１８の付勢力により、フォースピン１５がガイド孔１４の端部に当接する位置まで後退する（図３参照）。・・・シリンダ錠２０に挿入したキーを施錠方向に回動すると・・・ロックプレート２２が反時計方向に回動し、ストッパ２４がスライダ７の前進を阻止する位置に移動する（図９参照）。従って、スライダ７は前進不能となり、一対のアーム１２は前輪を抱持した状態に保持され、自転車が盗難防止される。」（７頁１４行〜８頁４行、段落【００１０】〜【００１２】）
　これらの明細書の記載と図面の記載及び当業者の技術常識とからみて、引用刊行物２には、駐輪場の床面に設置され、中央に前輪挿入路１が形成される前輪保持部２と、前輪保持部２から起立する柱３とを有し、柱３に駐輪機用錠装置Ａを取り付けてなる駐輪機Ｂにおいて、駐輪機用錠装置Ａが、箱形状のケース４の前面に切欠部５を形成し、自転車の前輪を切欠部５内に挿入することにより一対のアーム１２が自動的に閉じて、前輪を抱持した状態で保持できるようにした自転車の盗難防止用駐輪機Ｂに関する技術が記載されているものと認められる。
　　　　　
　　　　　
【３】本願発明と引用刊行物１に記載された発明との対比・検討
〔１〕本願発明と引用刊行物１に記載された発明との対比
　引用刊行物１に記載された発明の「ケース２」，「正面板３」，「受溝５」，「錠止突子１２」，「受動突子１３」，「第２掛金レバー１５」，「バネ１７」，「錠止突子６」，「受動突子７」，「第１掛金レバー９」，「バネ１１」，「ロック溝２４」，「ロックアーム部２５」，「解除アーム部２６」，「第２ロック板２７」，「水平枢軸２８」，「バネ２９」，「ロック溝１８」，「ロックア−ム部１９」，「解除アーム部２０」，「第１ロック板２１」，「水平枢軸２２」，「バネ２３」，「プッシュガイド３０」，「突起３１の一方側部」，「突起３１の他方側部」，「錠前ユニット３２」，「ロータ３３」，「操作板３４」，「カムスロット」，「枢軸３５」，「誘導レバー３６」，「ケース２に固着されたガイド板５４」，「開□４２」，「押しボタン３７」，「バネ３９」，「水平板部４０」，「溝４１」が、
　本願発明の「ケース２」，「正面壁部３」，「受溝５」，「錠止アーム６」，「受動アーム７」，「第１ロックレバー９」，「バネ１１」，「錠止アーム１２」，「受動アーム１３」，「第２ロックレバー１５」，「バネ１７」，「制止受部１８」，「制止アーム部１９」，「解除アーム部２０」，「第１操作レバー２１」，「水平枢軸２２」，「バネ２３」，「制止受部２４」，「制止アーム部２５」，「解除アーム部２６」，「第２操作レバー２７」，「水平枢軸２８」，「バネ２９」，「スライダー３０」，「駆動部８」，「駆動部１４」，「錠前ユニット３２」，「ロータ３３」，「操作板３４」，「カムスロット３１」，「軸ピン３５」，「駆動レバー３６」，「ケース２側に設けたガイド壁部５５」，「開口部４２」，「押しボタン３７」，「バネ３９」，「側壁部４０」，「押動部４１」にそれぞれ対応し、
　また、引用刊行物１に記載された発明の「錠止突子１２が正面板３の正面方向にバネ１７によって第２掛金レバー１５を回転付勢し」及び「錠止突子６が正面板３の正面方向に第１掛金レバー９をバネ１１によって回転付勢し」における「正面板３の正面方向」が、「錠止突子１２，６」の機能に照らしてみれば、本願発明の「正面壁部３に向かって倒れる方向」に対応し、
　さらに、引用刊行物１に記載された発明の「枢軸１６」の配置関係を示す「下側」，「水平」と、本願発明の「枢軸１０」の配置関係を示す「左側」，「垂直」とは、使用態様或いは設置態様の相違により必然的に生じる単なる設計上の相違と認められるから、この配置関係の相違により両発明の「枢軸」に機能上格別の差異はないものであり、以下同様に、引用刊行物１に記載された発明の「枢軸１０」の配置関係を示す「上側」，「水平」と本願発明の「枢軸１６」の配置関係を示す「右側」，「垂直」との関係、引用刊行物１に記載された発明の「プッシュガイド３０」のスライド方向を示す「左右」と本願発明の「スライダー３０」のスライド方向を示す「上下」との関係、引用刊行物１に記載された発明の「プッシュガイド３０」の「突起３１の一方側部」と「突起３１の他方側部」の配置関係をそれぞれ示す「下側面」，「上側面」と本願発明の「スライダー３０」の「駆動部８」と「駆動部１４」の配置関係をそれぞれ示す「左側面」，「右側面」との関係、引用刊行物１に記載された発明の「誘導レバー３６」のスライド移動方向と回転方向をそれぞれ示す「上下方向」，「左右方向」と本願発明の「駆動レバー３６」のスライド移動方向と回転方向をそれぞれ示す「横方向」，「上下方向」との関係、及び、引用刊行物１に記載された発明の「枢軸３８」の配置関係を示す「垂直」と本願発明の「枢軸３８」の配置関係を示す「水平」との関係も、上記「枢軸１６」と「枢軸１０」との関係と同様であって、これらの配置関係等の相違により両発明の上記各部材相互間に機能上格別の差異はないものであって、両発明の上記各部材相互がそれぞれ対応し（尚、本願明細書の段落【００１６】には装着形態は特に限定されないとの記載もある。）、
　そして、引用刊行物１に記載された発明の「扉１」と本願発明の「駐輪場の固定物１」とが共に錠を固定する対象である「固定対象物」である点で概念上一致し、また、引用刊行物１に記載された発明の「扉用ロックハンドル４」と本願発明の「自転車の車輪４」とが共に錠により固定される「棒状被施錠物」である点で概念上一致し、さらに、引用刊行物１に記載された発明の「扉用ロックハンドルの掛金装置」と本願発明の「駐輪用ロック装置」とが共に「ロック装置」である点で概念上一致するものと認められるから、本願発明と引用刊行物１に記載された発明とは、
　「固定対象物に固着されるケース２の正面壁部３の中央部に棒状被施錠物が挿入される受溝５を設け、錠止アーム６と受動アーム７よりなる第１ロックレバー９を受溝５の一方側において枢軸１０によりケース２に枢着し、錠止アーム６が正面壁部３に向かって倒れる方向にバネ１１によって第１ロックレバー９を回転付勢し、錠止アーム１２と受動アーム１３よりなる第２ロックレバー１５を受溝５の他方側において枢軸１６によってケース２に枢着し、錠止アーム１２が正面壁部３に向かって倒れる方向に第２ロックレバー１５をバネ１７によって回転付勢し、第１ロックレバー９の基端部の制止受部１８に係脱する制止アーム部１９と解除アーム部２０よりなる第１操作レバー２１を水平枢軸２２によってケース２に枢着し、制止アーム部１９が制止受部１８に係合する方向に第１操作レバー２１をバネ２３によって回転付勢し、第２ロックレバー１５の基端部の制止受部２４に係脱する制止アーム部２５と解除アーム部２６とよりなる第２操作レバー２７を水平枢軸２８によってケース２に枢着し、制止アーム部２５が制止受部２４に係合する方向に第２操作レバー２７をバネ２９によって回転付勢し、ケース２の中央部ににスライドするスライダー３０を設け、スライダー３０の一方側面に第１操作レバー２１の解除アーム部２０の先端部が係合する駆動部８を設け、スライダー３０の他方側面に第２操作レバー２７の解除アーム部２６の先端部が係合する駆動部１４を設け、ケース２に設けた錠前ユニット３２のロータ３３に操作板３４を固着し、操作板３４の先端部のカムスロット３１を通る軸ピン３５によって駆動レバー３６を連結し、スライド可能及び回転可能に案内した駆動レバー３６の側面をケース２側に設けたガイド壁部５５に当接させ、錠前ユニット３２の反対側においてケース２の正面壁部３に開口部４２を設け、開口部４２に嵌め込んだ押しボタン３７を枢軸３８によってケース２に枢着し、押しボタン３７をバネ３９によって正面方向に回転付勢し、押しボタン３７の側壁部４０に錠前ユニット３２の解錠時に駆動レバー３６の先端部が係合する押動部４１を設けたロック装置。」の点で構成が一致し、
　上述のように、本願発明が駐輪用のロック装置であるのに対し、引用刊行物１に記載された発明が扉用ロックハンドル用のロック装置であるとの「ロック装置」の用途の相違に伴って、錠を固定する対象である「固定対象物」について、本願発明が「駐輪場の固定物１」であるのに対し引用刊行物１に記載された発明が「扉１」である点、また、錠により固定される「棒状被施錠物」について、本願発明が「自転車の車輪４」であるのに対し引用刊行物１に記載された発明が「扉用ロックハンドル４」である点、さらに、両発明を構成する各部材について、本願発明と引用刊行物１に記載された発明とでその使用態様或いは設置態様の相違による微細な配置関係等の相違がある点で構成が相違する。
　　　　　
〔２〕相違点についての判断   
　本願発明の「駐輪用ロック装置」と引用刊行物１に記載された発明の「扉用ロックハンドルの掛金装置」とは技術分野は一応相違するものの、上述したように、「棒状被施錠物」を施錠する「ロック装置」としての上位概念で捉えた場合、「棒状被施錠物」をワンタッチ操作で錠止と解除が行うことができるという作用及び機能の点において、両者に実質的な差異がないものである。そして、引用刊行物１に記載された発明の「扉用ロックハンドルの掛金装置」とほぼ同様の構成を有する駐輪機用錠装置（即ち、箱形状のケースの前面に切欠部を形成し、自転車の前輪を切欠部内に挿入することにより一対のアームが自動的に閉じて前輪を抱持した状態で保持できるようにした駐輪機用錠装置）を、駐輪場の床面に設置された前輪保持部から起立する柱に取り付けてなる駐輪機が引用刊行物２に記載され、また、同種の駐輪機は、引用刊行物２の他にも、例えば、実願昭６２−１６０５７３号（実開平１−６４５６５号）のマイクロフィルム、特公昭３３−１０３９９号公報等に示されているように従来周知であるから、引用刊行物１に記載された発明の「扉用ロックハンドルの掛金装置」の技術を、その「棒状被施錠物」をワンタッチ操作で錠止と解除が行えるという作用及び機能に着目し、これと同様の作用及び機能を必要とする本願発明のような「駐輪用ロック装置」に転用することに格別の阻害要件がないものであり、このような技術の転用は容易に着想しうるものであると認められる。
　そして、本願発明における、引用刊行物１に記載された発明との上記各構成の相違点に係る構成については、技術の転用により当然に採用される程度の設計変更にすぎない。
　　　　　　　
〔３〕まとめ
　そして、本願発明に係る構成によって奏し得る効果も、引用刊行物１に記載された発明及び引用刊行物２等に記載された周知技術から普通に予測できる範囲内のものであって格別なものがあるとは認められないから、本願発明は、引用刊行物１に記載された発明を単に駐輪用ロック装置に転用することにより、当業者が容易に想到できた程度のものである。
　　　　
　　　　
【４】むすび
　従って、本願発明は、引用刊行物１に記載された発明と引用刊行物２等に記載された駐輪用ロック装置に関する周知の技術事項とから当業者が容易に想到し得たことと認められるから、特許法第２９条第２項の規定により特許を受けることができない。
　よって、結論のとおり審決する。